(57)【要約】【課題】 折り畳んだときに嵩張らない組立フェンスを提供する。【解決手段】 枠体群（３）を連結部群（５）により回動自在に連結して成る組立フェンス（１）において、各連結部（５）は、所定幅を有する襠付支柱（５１）を含み、襠付支柱（５１）は、幅方向一端が一方の枠体（３）に枢支され、かつ、幅方向他端が隣接する他方の枠体（３）に枢支され、一方の枠体（３）と他方の枠体（３）を回動させたときに両枠体（３，３）が略平行になるように構成されている。襠付支柱（５１）が枠体（３，３）の厚みを吸収するので、枠体（３，３）間の隙間を必要最小限に抑えられるので、それだけコンパクトな折り畳みを実現できる。【選択図】    図２
2006025792.tif 000002
【特許請求の範囲】
【請求項１】
上側フレームと下側フレームとの間に網体が支持されて成るフェンスにおいて、
前記網体は、前記上側フレームと前記下側フレーム間に所定間隔を空けて配される縦棒群と、当該縦棒を連結する少なくとも１本の横棒と、を含み、前記縦棒群は、少なくとも１本の引張棒と当該引張棒以外の突っ張り棒群とから構成され、前記引張棒は、前記上側フレームと前記下側フレームとを互いに引っ張るように、当該引張棒上端部が当該上側フレームに、かつ、当該引張棒下端部が当該下側フレームに、それぞれ取り付けられ、前記突っ張り棒群は、各突っ張り棒の上端部が前記上側フレームの下端部に、かつ、各突っ張り棒の下端部が前記下側フレームの上端部に、それぞれ当接して前記引張棒の引張力に抗するように構成されていることを特徴とするフェンス。
【請求項２】
前記引張棒上端部は前記上側フレームに取り外し可能に固定されるとともに、前記引張棒下端部は前記下側フレームに取り外し可能にネジ固定され、前記ネジの締付により前記引張力が生ずるように構成されていることを特徴とする請求項１に記載した組立フェンス。
【請求項３】
枠体群をヒンジ群により回動自在に連結して成る組立フェンスにおいて、前記各ヒンジは、一方のヒンジ片と他方のヒンジ片とを備え、一方の枠体と他方の枠体とを略平行に配置したとき隣接する当該一方の枠体の側端面に前記一方のヒンジ片が、当該他方の枠体の側端面に前記他方のヒンジ片が、それぞれ取り付けられていることを特徴とする組立フェンス。
【発明の詳細な説明】
【技術分野】
【０００１】
本発明は、主としてペットの周りを囲むための組立フェンスに関するものである。
【背景技術】
【０００２】
これまでに知られている組立フェンスとして、本出願人が出願した組立フェンス（例えば、特許文献１参照、以下「従来の組立フェンス」という）がある。従来の組立フェンスは、複数個の枠体を備えており、隣り合う枠体は連結部により連結されるようになっている。この連結部は、隣り合う一方の上側フレームから側方に突き出る下側連結片と、他方の上側フレームから側方に突き出る上側連結片と、を厚み方向に重ね合わせ、下側連結片に形成された嵌合穴と上側連結片に形成された嵌合穴とを整合させた後に連結用キャップを両嵌合穴に貫通させるように構成されている。下側フレーム同士も上記の構成と同様な構成により連結されるようになっており（考案掲載公報００２４，００２５，００２６参照）、これにより、枠体同士は、上下の連結用キャップを枢軸として回動（回転）するようになっている。枠体は、上記した上側フレーム及び下側フレームと、両フレーム間に支持される複数の棒材から成る網体と、から構成され、両フレームには、棒材を嵌合支持するための棒材嵌合穴が設けられている（同００２３参照）。
【特許文献１】実用新案登録第３０４５３８１号公報
【発明の開示】
【発明が解決しようとする課題】
【０００３】
従来の組立フェンスは、上記構成から明らかなように、連結用キャップを取り外すことにより各枠体を別々にして重ねられるようになっているとともに、別々にしなくても一定の範囲内で折り畳むことができるようになっている。つまり、考案掲載公報第２図に示されるような４個の枠体から成る組立フェンスの場合、上から見た状態の組立フェンスはほぼ矩形であるが、これを対角線方向に押しつぶすと各枠体が回動して菱形（平行四辺形）にすることができる。菱形より小さくできないのは、各枠体が上下の連結用キャップにより一軸で連結されているから上側連結片（下側連結片）同士が衝突してそれ以上各枠体を回動させることができないからである。菱形になった組立フェンスは、矩形のものより嵩張らないので、収納や持ち運びのためにたいへん便利である。各枠体を別々にして重ねた方が、別々にせずに押しつぶすより嵩張らないのも事実であるが、そのようにするためには、すべての連結用キャップを連結部から取り外す必要があるので少々煩わしさがある。本発明が解決しようとする課題は、従来の組立フェンスの利点を損なうことなく、これに改良を加えることにより、より嵩張らない組立フェンスを提供することを目的とする。
【課題を解決するための手段】
【０００４】
上記課題を解決するために発明者は、組立フェンスをできるだけコンパクトに折り畳めるように一軸の代わりにニ軸で各枠体を枢支することを考えついた。本発明は、この観点からなされたものである。その詳しい構成については、次項以下で説明する。なお、何れかの請求項の説明において行う用語の定義等は、その性質上可能な範囲において他の請求項の説明においても適用されるものとする。
【０００５】
請求項１に記載した発明の構成
請求項１に記載した発明に係るフェンス（以下、「請求項１のフェンス」という）は、上側フレームと下側フレームとの間に網体が支持されて成るフェンスである。請求項１のフェンスの特徴は、前記網体は、前記上側フレームと前記下側フレーム間に所定間隔を空けて配される縦棒群と、当該縦棒を連結する少なくとも１本の横棒と、を含み、前記縦棒群は、少なくとも１本の引張棒と当該引張棒以外の突っ張り棒群とから構成され、前記引張棒は、前記上側フレームと前記下側フレームとを互いに引っ張るように、当該引張棒上端部が当該上側フレームに、かつ、当該引張棒下端部が当該下側フレームに、それぞれ取り付けられ、前記突っ張り棒群は、各突っ張り棒の上端部が前記上側フレームの下端部に、かつ、各突っ張り棒の下端部が前記下側フレームの上端部に、それぞれ当接して前記引張棒の引張力に抗するように構成されている点にある。
【０００６】
請求項１に記載した発明の作用効果
請求項１のフェンスは、次の作用を奏し効果が期待できる。すなわち、引張棒の引張力とこの引張力に抗する突っ張り棒の作用とにより、上側フレームと下側フレームの間にこれらの棒群が支持される。横棒は、縦棒群を互いに連結させる働きを有している。請求項１のフェンスは、複数の枠体を有する組立フェンスに限られず、複数の枠体を有する固定式のフェンスや単体の枠体から成るフェンス等にも応用することができる。
【０００７】
請求項２に記載した発明の構成
請求項２に記載した発明に係る組立フェンス（以下、「請求項２のフェンス」という）は、請求項１のフェンスの構成に限定が加わり、前記引張棒上端部は前記上側フレームに取り外し可能に固定されるとともに、前記引張棒下端部は前記下側フレームに取り外し可能にネジ固定され、前記ネジの締付により前記引張力が生ずるように構成されていることを特徴とする。
【０００８】
請求項２に記載した発明の作用効果
請求項２のフェンスは、請求項１の作用効果に加え、次の作用を奏し効果が期待できる。すなわち、引張棒上端部及び引張棒下端部が取り外し可能に構成されているので、枠体を簡単に分解することできる。したがって、枠体自体を簡単にコンパクト化することができる。
【０００９】
請求項３に記載した発明の構成
請求項３に記載した発明に係る組立フェンス（以下、「請求項３のフェンス」という）は、枠体群をヒンジ群により回動自在に連結して成る組立フェンスである。請求項３のフェンスの特徴は、前記各ヒンジは、一方のヒンジ片と他方のヒンジ片とを備え、一方の枠体と他方の枠体とを略平行に配置したとき隣接する当該一方の枠体の側端面に前記一方のヒンジ片が、当該他方の枠体の側端面に前記他方のヒンジ片が、それぞれ取り付けられていることを特徴とする。
【００１０】
請求項３に記載した発明の作用効果
請求項３のフェンスは、次の作用を奏し効果が期待できる。すなわち、請求項３のフェンスは、ペット等の周りを囲むためのものである。使用しないときの請求項３のフェンスは、ヒンジを用いて各枠体を回動させてコンパクトに畳むことができる。これにより、これまでのフェンスに比べてよりコンパクトに収納することができる。
【発明の効果】
【００１１】
本発明に係る組立フェンスを使用すると、折り畳んだときに嵩張らないので運搬や収納等のために便利である。また、本発明に係るフェンスを使用すると、フェンスの組立と分解が簡単である。
【発明を実施するための最良の形態】
【００１２】
次に、各図を参照しながら、本発明の実施の形態（以下、「本実施形態」という）について説明する。図１は本実施形態に係る組立フェンスの斜視図であり、図２は枠体の正面図である。図３は上側フレームの底面図及び下側フレームの平面図であり、図４は上側枢支構造の拡大斜視図である。図５は下側枢支構造の拡大斜視図であり、図６は組立フェンスを折り畳むときの状態を示す平面図である。また、図６は引張棒の部分拡大図であり、図７は本実施形態の変形例を示す平面図である。ここで、図２に示す上側フレーム及び下側フレームは、それぞれ縦断面が示されているが、図の複雑化を避けるためにそれらの断面のハッチングを省略している。なお、本実施形態の組立フェンスは、ペット用であることを前提に説明しているが、このようなペット用に限る必要はない。たとえば、空調装置の室外機や暖房器の保護カバーとしてや、乳幼児の遊び場を確保するための防護フェンスとしても用いることができる。さらに、屋内外を問わず使用することができる。
【００１３】
組立フェンスの概略構造図１及び２を参照しながら、組立フェンスの概略構造について説明する。本実施形態における組立フェンス１は、同じ形状を持つ４枚（個）の枠体３，３，．．を環状に連結して成り、上から見た形状がほぼ正方形（矩形）になっている。隣り合わせの枠体３，３同士は、後述する連結部５により枢支され回動自在に連結されている。なお、枠体３は、本実施形態のように４枚により構成するのが一般的であるが、飼育するペットの大きさや数に応じて３枚により構成したり５枚以上により構成することもできる。また、必要に応じて、何れかの枠板３に開閉式の出入口を形成し、そこからペットがフェンス内に出入りできるように構成してもよい。
【００１４】
枠体の構成図２及び３に基づいて、枠体３について説明する。枠体３は、上下に平行配置される上側フレーム１１と下側フレーム１３と、この上側フレーム１１と下側フレーム１３間に配される網体１５により構成されている。上側フレーム１１（下側フレーム１３）は、インテリアとデザイン的に調和し重厚感が生まれるように木製としたが、合成樹脂製とすることもできる。上側フレーム１１の両端には、後述する枢支ピン７を貫通させるための貫通孔２５が高さ方向に形成され、さらに、上側フレーム１１の下端部には、フック用凹部２７，２７，．．と、網体用凹部２９，２９が形成されている（図３（ａ）参照）。フック用凹部２７は、後述する引張棒の上端部に形成されたフック部１７ｆを受けいれるためのものであり、網体用凹部２９は、網体１５の上端部を受け入れて位置決めするためのものである。これに対し下側フレーム１３の両端には、突出ピン３５，３５が係止孔４１，４１内に差し込み固定され、さらに、各引張棒１７ａに対応する位置にこれらを差し込むための差込孔３７，３７，．が高さ方向に貫通されている（図３（ｂ）参照）。下側フレーム１３の上端面には、網体１５の下端部を受け入れるための網体用凹部３９が形成されている。網体用凹部２９，３９は、上側フレーム１１及び下側フレーム１３とそれぞれ当接する網体１５の上端部及び下端部の位置決めとズレ止めを主目的として形成されたものである。
【００１５】
一方、図２に示す網体１５は、横方向に一定間隔（たとえば、１０センチメートル）を空けて配された縦棒群１７，１７，．．．と、この縦棒群１７，１７，．．．を連結して補強するために溶接された４本の横棒群１９，１９と、から構成されている。縦棒群１７，１７は、さらに、両端と中央部に配された引張棒１７ａ，．．と引張棒１７ａ以外の突っ張り棒１７ｂ，１７ｂ，．．．により構成されている。引張棒１７ａは、上側フレーム１１と下側フレーム１３とを互いに引っ張るように構成され、他方、突っ張り棒１７ｂは、その上端部が上側フレーム１１の下端部に、その下端部が下側フレーム１３の上端部に、それぞれ当接して引張棒群１７ａの引張力に抗するように構成されている。すなわち、引張棒群１７ａの引張力の作用と、この作用に抗する突っ張り棒群１７ｂの反作用とのバランスにより、上側フレーム１１と下側フレーム１３との間に網体１５が取り付けられるように構成されている。
【００１６】
引張棒の構成図２及び７に基づいて、引張棒１７ａの詳しい構成について説明する。引張棒１７ａには、その上端部を逆さＵ字状に折り返すことにより形成されたフック部１７ｆと、その下端部外周にネジ溝が形成されて成るネジ固定部１７ｋと、が設けられている。フック部１７ｆは、上側フレーム１１の下端部（下側フレーム１３側）に刳り貫き形成されたフック用凹部２７に受け入れられ、かつ、側方から差し込まれてフック用凹部２７を貫通する係止ピン（係止部）２３に引っ掛けられるように構成されている。ネジ固定部１７ｋは、下側フレーム１３の高さ方向に貫通形成された差込孔３７内に差し込まれた後に、下方からボルト３１により締め付け固定されるようになっている。具体的に説明すると、差込孔３７はネジ固定部１７ｋを貫通させられる形状（寸法）に形成された小径部３７ｓと、ボルト３１を受け入れられる形状（寸法）に形成された大径部３７ｂと、小径部３７ｓと大径部３７ｂとの間に形成された、ボルト３１を係止するための係止段部３８とから構成されている。このボルト３１による締めは、上側フレーム１１と下側フレーム１３との間に引張力を生じさせる。なお、引張棒１７ａは少なくとも１本あれば足りるが、本実施形態においては、網体１５の両端に各１本と、中央部に１本の合計３本が設けられている。引張棒１７ａの本数を増減するのであれば、網体１５の大きさや強度等を考慮した上で行うようにするとよい。
【００１７】
連結部の構成ここで、図４及び５を参照しながら、連結部５について説明する。連結部５は、後述する襠付支柱５１の上端部と上側フレーム１１との間に形成される上側枢支構造６１と、襠付支柱５１の下端部と下側フレーム１３との間に形成される下側枢支構造６３とにより構成されている。以下、個々の部材について説明する。
【００１８】
襠付支柱の構成上記記載から理解されるように、襠付支柱５１は、上側フレーム１１の一端と下側フレーム１３の一端との間に配され、その上端部を上側枢支構造６１により、その下端部を下側枢支構造６３により、それぞれ枢支され、これにより、隣り合わせの枠体３，３が襠付支柱５１に対して正逆方向に回転運動するよう（回動するように）、かつ、上側フレーム１１と下側フレーム１３に対して簡単に取り付け取り外しできるよう（着脱自在）になっている。襠付支柱５１は、上側フレーム１１や下側フレーム１３とデザインを合わせるために木製であって、隣り合う枠体３，３の上側フレーム１１，１１（下側フレーム１３，１３）を重ね合わせた幅を吸収できるだけの幅、より具体的には、一方と他方の枠体３，３の上側フレーム１１，１１に、枢支ピン７，７を差し込み、両枠体３，３がが略平行になるまでこれらを回動させることができる程度の幅に形成されている。襠付支柱５１の上端面には、枢支ピン７，７を差し込むための上端凹部５３，５３が形成され、これらの枢支ピン７，７及び上端凹部５３，５３と、上側フレーム１１の高さ方向に形成された貫通孔２５，２５とにより上側枢支構造６１が形成されている（図４参照）。
【００１９】
他方、図５に示すように、襠付支柱５１の下端面に形成された下側凹部５５，５５と、下側フレーム１３，１３の上端面から突き出す突出ピン３５，３５とにより、下側枢支構造６３が構成されている。下側枢支構造６３は、突出ピン３５，３５を下側凹部５５，５５に差し込むように襠付支柱５１を上方から降ろすだけで組み立てることができるので、その取り扱いが極めて簡単である。逆に、襠付支柱５１を取り外すには、まず、上側枢支構造６１の枢支ピン７，７を引き抜いてから、図２に仮想線で示すように襠付支柱５１を傾けてから引き上げることにより行えるようになっている。なお、本実施形態の下側枢支構造６３は、襠付支柱５１に下側凹部５５が、下側フレーム１３に突出ピン３５が、それぞれ形成されているが、これとは逆に、襠付支柱５１に突出ピンを、下側フレーム１３に凹部を、それぞれ形成するようにしてもよい。
【００２０】
枢支ピンの構成図４に基づいて、枢支ピン７の構成について説明する。枢支ピン７は、上側フレーム１１に形成された貫通孔２５を介して襠付支柱５１に形成された上側凹部５３に差し込むためのピン本体４７と、ピン本体４７の上端部に形成されたヘッド部４３と、ヘッド部４３の下端部に形成されたフランジ部４５と、から構成されている。ヘッド部４３は、枢支ピン７を差し込んだり抜き取ったりする際に作業者が手で摘むためのものであり、フランジ部４５は、枢支ピン７が差し込まれたときに上端フレーム１１の上面に当接してピン本体４５の差込長さを調整するためのものである。本実施形態におけるヘッド部４３は、作業者が手を痛めたりペットが怪我をしたりすることのないように球状に形成されているが、これら以外の形状であってもよい。
【００２１】
組立フェンスの折り畳み方法図４乃至６を参照しながら、組立フェンスの折り畳み方法について説明する。まず、何れかの枢支ピン７を上側フレーム１１から引き抜いて襠付支柱５１を回動させて枠体３の一端を開放する。その後、他の枠体３，３，３を互い違いの方向に回動させて、図６に示すようにジグザグに折り畳む。抜き取った枢支ピン７は、これを紛失しないように、上側フレーム１１の貫通孔２５又は襠付支柱５１の上側凹部５３に差し込んでおくとよい。これが、組立フェンス１の基本的な畳み方である。この畳み方によれば、枠体３同士を略平行にすることができるので、枠体３，３間の隙間を必要最小限に抑えられるので、それだけコンパクトな折り畳みを実現することができる。さらに、襠付支柱５１が上側フレーム１１から側方に突き出ることがないので、この点でも組立フェンスのコンパクト化に貢献する。また、隣り合う枠体３，３のうち何れかの枢支ピン７を抜き、各枠体３をバラバラにする方法もある。この方法によれば、たとえば、収納場所の関係から複数箇所に分けて収納する必要がある場合や、変則的に積み重ねなければならない場合等にとても便利である。さらに、枢支ピン７を抜き取らずに組立フェンス１を対角線の方向に押しつぶす方法もある。この方法によれば、組立フェンスを僅かに移動させる場合や、一時的に隅に寄せておきたいような場合等に好都合である。
【００２２】
本実施形態の変形例図８を参照しながら、本実施形態の変形例（以下、「本変形例」という）について説明する。本変形例が本実施形態と異なるのは、本実施形態の襠付支柱の代わりに本変形例はヒンジ（平型蝶板）が用いられている点である。具体的には、次のとおりである。本変形例に係る組立フェンス９１は、４個の枠体８１，．．．を有し、これらの枠体８１，．．．は、各枠体の側端面８３，．．．に取り付けられたヒンジ群８５，．．．により回動可能に相互連結されている。各枠体８１に取り付けるヒンジ８５は、本変形例では２個としているが、枠体８１の高さに合わせて１個だけにしてもよいし３個以上としてもよい。ヒンジ８５は左右のヒンジ片８７，８７を含み、各ヒンジ片８７は隣り合う枠体８１，８１の側端面８３，８３の各々に取り付けられている。図８に実線で示すのは、折り畳んだ状態の組立フェンス９１である。折り畳まれた状態の組立フェンス９１は、ヒンジ８５，．．．の働きにより直列接続された２個の枠体８１，８１同士が略平行に位置するように構成されている。想像線で示したのは、組み立てた状態の枠体９１である。図８から理解されるように、折り畳まれた組立フェンス９１は、組み立てたものに比べてコンパクト化している。なお、各ヒンジ８５は、これを一方のヒンジ片８７と、他方のヒンジ片８７とに分離できるように構成してもよい。そのように構成すれば、各枠体８１を分離できるので、よりコンパクト化することができる。
【００２３】
本実施形態の応用例なお、本実施形態は、複数の枠体を有する組立フェンスに係るものであるが、この枠体の構成は、組立フェンス以外のフェンスにも応用することができる。すなわち、前述した上側フレームと下側フレームとの間に網体を支持する方法は、組立フェンスだけに限ることなく、固定式のフェンスやペットケージの前面に取り付けられるフェンス等にも応用することができる。係る構造を備えるフェンスは、突っ張り棒のボルトを外すだけで網体を外すことができるので、分解が簡単であるし、逆に組立も簡単である。
【図面の簡単な説明】
【００２４】
【図１】本実施形態に係る組立フェンスの斜視図である。
【図２】枠体の正面図である。
【図３】上側フレームの底面図及び下側フレームの平面図である。
【図４】上側枢支構造の拡大斜視図である。
【図５】下側枢支構造の拡大斜視図である。
【図６】組立フェンスを折り畳むときの状態を示す平面図である。
【図７】引張棒の部分拡大図である。
【図８】本実施形態の変形例を示す平面図である。
【符号の説明】
【００２５】
１ 組立フェンス
３ 枠体 
５ 連結部
７ 枢支ピン
１１ 上側フレーム
１３ 下側フレーム
１５ 網体 
１７ 縦棒 
１７ａ 引張棒 
１７ｂ 突っ張り棒
１７ｆ フック部 
１７ｋ ネジ固定部
１９ 横棒 
２３ 係止ピン（係止部）
２５ 貫通孔
２７ フック用凹部
２９ 網体用凹部
３１ ボルト
３５ 突出ピン
３７ 差込孔
３７ｂ 大径部
３７ｓ 小径部
３８ 係止段部
３９ 網体用凹部
４１ 係止孔
４３ ヘッド部
４５ フランジ部
４７ ピン本体
５１ 襠付支柱
５３ 上側凹部
５５ 下側凹部
上側枢支構造
６３ 下側枢支構造
８１ 枠体
８３ 側端面
８５ ヒンジ
８７ ヒンジ片
【図１】
2006025792.tif 000003
【図２】
2006025792.tif 000004
【図３】
2006025792.tif 000005
【図４】
2006025792.tif 000006
【図５】
2006025792.tif 000007
【図６】
2006025792.tif 000008
【図７】
2006025792.tif 000009
【図８】
2006025792.tif 000010
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
上側フレームと下側フレームとの間に網体が支持されて成るフェンスにおいて、
前記網体は、前記上側フレームと前記下側フレーム間に所定間隔を空けて配される縦棒群と、当該縦棒を連結する少なくとも１本の横棒と、を含み、前記縦棒群は、少なくとも１本の引張棒と当該引張棒以外の突っ張り棒群とから構成され、前記引張棒は、前記上側フレームと前記下側フレームとを互いに引っ張るように、当該引張棒上端部が当該上側フレームに、かつ、当該引張棒下端部が当該下側フレームに、それぞれ取り付けられ、前記突っ張り棒群は、各突っ張り棒の上端部が前記上側フレームの下端部に、かつ、各突っ張り棒の下端部が前記下側フレームの上端部に、それぞれ当接して前記引張棒の引張力に抗するように構成されていることを特徴とするフェンス。
【請求項２】
前記引張棒上端部は前記上側フレームに取り外し可能に固定されるとともに、前記引張棒下端部は前記下側フレームに取り外し可能にネジ固定され、前記ネジの締付により前記引張力が生ずるように構成されていることを特徴とする請求項１に記載した組立フェンス。
【請求項３】
枠体群をヒンジ群により回動自在に連結して成る組立フェンスにおいて、前記各ヒンジは、一方のヒンジ片と他方のヒンジ片とを備え、一方の枠体と他方の枠体とを略平行に配置したとき隣接する当該一方の枠体の側端面に前記一方のヒンジ片が、当該他方の枠体の側端面に前記他方のヒンジ片が、それぞれ取り付けられていることを特徴とする組立フェンス。
【請求項４】
前記上側フレームと前記下側フレームとを有する枠体群を連結部群により回動自在に連結して成り、前記各連結部は、所定幅を有する襠付支柱を含み、前記襠付支柱は、幅方向一端が一方の枠体に枢支され、かつ、幅方向他端が隣接する他方の枠体に枢支され、当該一方の枠体と当該他方の枠体を回動させたときに両枠体が略平行になるように構成され、前記襠付支柱は、前記上側フレームの一端と前記下側フレームの一端との間に配されいることを特徴とする請求項１に記載した組立フェンス。
【請求項５】
前記引っ張り棒は、その上端部に形成されたフック部と、その下端部に形成されたネジ固定部と、を備え、前記フック部は、前記上側フレームに設けられた係止部に係止されるように構成され、前記ネジ固定部は、前記下側フレームの高さ方向に貫通形成された差込孔に差し込まれた後に、ボルト固定されるように構成されていることを特徴とする請求項１に記載した組立フェンス。
【請求項６】
前記係止部は、前記上側フレームの前記下側フレーム側を刳り貫き形成したフック用凹部と、当該フック用凹部内に突き出る係止ピンと、を備え、前記フック用凹部は前記フック部を受け入れうる形状に、かつ、前記係止ピンは前記フック部を引っかけられる形状に、それぞれ形成されていることを特徴とする請求項５に記載した組立フェンス。
【請求項７】
前記差込孔は、係止段部を介して形成された小径部と大径部とから成り、前記小径部は前記ネジ固定部を貫通可能な形状に形成され、前記大径部は前記ボルトを受け入れ可能な形状に形成され、前記係止段部は、前記ボルトを係止可能な形状に形成されていることを特徴とする請求項５又は６に記載した組立フェンス。
【請求項８】
前記引張棒は、前記枠体の両端部と中央部との３箇所に配されていることを特徴とする請求項１、２又は４乃至７の何れかに記載した組立フェンス。
【請求項９】
前記上側フレーム及び前記下側フレームは、木製であることを特徴とする１、２又は４乃至８の何れかに記載した組立フェンス。
【手続補正２】
【補正対象書類名】明細書
【補正対象項目名】００１０
【補正方法】変更
【補正の内容】
【００１０】
請求項３に記載した発明の作用効果
請求項３のフェンスは、次の作用を奏し効果が期待できる。すなわち、請求項３のフェンスは、ペット等の周りを囲むためのものである。使用しないときの請求項３のフェンスは、ヒンジを用いて各枠体を回動させてコンパクトに畳むことができる。これにより、これまでのフェンスに比べてよりコンパクトに収納することができる。
請求項４に記載した発明の構成
請求項４に記載した発明に係る組立フェンスは、前記上側フレームと前記下側フレームとを有する枠体群を連結部群により回動自在に連結して成り、前記各連結部は、所定幅を有する襠付支柱を含み、前記襠付支柱は、幅方向一端が一方の枠体に枢支され、かつ、幅方向他端が隣接する他方の枠体に枢支され、当該一方の枠体と当該他方の枠体を回動させたときに両枠体が略平行になるように構成され、前記襠付支柱は、前記上側フレームの一端と前記下側フレームの一端との間に配されいることを特徴とする。
請求項５に記載した発明の構成
請求項５に記載した発明に係る組立フェンスは、前記引っ張り棒は、その上端部に形成されたフック部と、その下端部に形成されたネジ固定部と、を備え、前記フック部は、前記上側フレームに設けられた係止部に係止されるように構成され、前記ネジ固定部は、前記下側フレームの高さ方向に貫通形成された差込孔に差し込まれた後に、ボルト固定されるように構成されていることを特徴とする。
請求項６に記載した発明の構成
請求項６に記載した発明に係る組立フェンスは、前記係止部は、前記上側フレームの前記下側フレーム側を刳り貫き形成したフック用凹部と、当該フック用凹部内に突き出る係止ピンと、を備え、前記フック用凹部は前記フック部を受け入れうる形状に、かつ、前記係止ピンは前記フック部を引っかけられる形状に、それぞれ形成されていることを特徴とする。
請求項７に記載した発明の構成
請求項７に記載した発明に係る組立フェンスは、前記差込孔は、係止段部を介して形成された小径部と大径部とから成り、前記小径部は前記ネジ固定部を貫通可能な形状に形成され、前記大径部は前記ボルトを受け入れ可能な形状に形成され、前記係止段部は、前記ボルトを係止可能な形状に形成されていることを特徴とする。
請求項８に記載した発明の構成
請求項８に記載した発明に係る組立フェンスは、前記引張棒は、前記枠体の両端部と中央部との３箇所に配されていることを特徴とする。
請求項９に記載した発明の構成
請求項９に記載した発明に係る組立フェンスは、前記上側フレーム及び前記下側フレームは、木製であることを特徴とする。